(57)【要約】  本発明は、第１要素としてのボルトと、該ボルトを少なくとも部分的に囲む第２要素としての拡張スリーブとを備えた拡張アンカーに係わり、ボルトは拡張スリーブを拡張させるための拡張領域を有し、２つの要素の一方は拡張アンカーの長手方向に走る溝を有し、その他方は溝に少なくとも部分的に係合する突起を有する。本発明によれば、溝は狭幅部を有し、該狭幅部はボルトに対する拡張スリーブの軸線方向の動きを阻止する。【選択図】図１
2016536544.tif 000002
【特許請求の範囲】
【請求項１】
第１要素としてのボルト（１０）と、
前記ボルト（１０）を少なくとも部分的に囲む第２要素としての拡張スリーブ（２０）とを具備した拡張アンカーであって、
前記ボルト（１０）が前記拡張スリーブ（２０）を拡張させるための拡張領域（１２）を有し、
前記２つの要素の一方が前記拡張アンカー（１）の長手方向に走る溝（７２）を有し、
その他方が前記溝（７２）に少なくとも部分的に係合する突起（７１）を有する拡張アンカーにおいて、
前記溝（７２）は狭幅部（７３）有し、該狭幅部（７３）は前記ボルト（１０）に対して前記拡張スリーブ（２０）の軸線方向の動きを阻止することを特徴とする拡張アンカー（１）。
【請求項２】
前記溝（７２）は、前記ボルト（１０）及び／又は前記拡張スリーブ（２０）の周方向でみて前記拡幅部（７３）を除き、前記突起（７１）よりも広いことを特徴とする請求項１に記載の拡張アンカー（１）。
【請求項３】
前記ボルト（１０）に配置された前記溝（７２）又は前記ボルト（１０）に配置された突起（７１）は前記拡張領域（１２）を除き、少なくとも部分的に走っていることを特徴とする請求項１又は２に記載の拡張アンカー（１）。
【請求項４】
前記突起（７１）は前記ボルト（１０）に配置され、前記溝（７２）は前記拡張スリーブ（２０）に配置されていることを特徴とする請求項１〜３の何れかに記載の拡張アンカー（１）。
【請求項５】
前記突起（７１）は前記拡張スリーブ（２０）に配置され、前記溝（７２）前記ボルト（１０）に配置され、
前記拡張スリーブ（２０）の壁厚は前記突起（７１）にて局所的に増加されていることを特徴とする請求項１から３の何れかに記載の拡張アンカー（１）。
【請求項６】
前記拡張アンカー（１）は、該拡張アンカー（１）の長手方向に走る複数の溝（７２）と、これら溝（７２）にそれぞれ対応した複数の突起（７１）とを有し、
少なくとも一部の前記溝（７２）の各々は狭幅部（７３）を有し、該狭幅部（７３）は前記ボルト（１０）に対する前記拡張スリーブ（２０）の軸線方向の動きを阻止することを特徴とする請求項１〜５の何れかに記載の拡張アンカー（１）。
【請求項７】
前記狭幅部（７３）は前記溝（７２）の一端に備えられているか、又は、前記溝（７２）の中間領域に備えられていることを特徴とする請求項１〜６の何れかに記載の拡張アンカー（１）。
【請求項８】
前記突起（７１）は，前記拡張アンカー（１）の長手方向に延びる横材であることを特徴とする請求項１〜７の何れかに記載の拡張アンカー（１）。
【発明の詳細な説明】
【技術分野】
【０００１】
本発明は請求項１の拡張アンカーに関する。このような拡張アンカーは第１要素としてボルトと、該ボルトを少なくとも部分的に囲む第２要素としての拡張スリーブとを備えており、ここで、ボルトは拡張スリーブを拡開させる拡張領域を有し、特に、２つの要素の一方はその外周面又は内周面に拡張アンカーの長手方向に走る溝を有し、その他方は溝に少なくとも部分的に係合した突起を有する。
【背景技術】
【０００２】
拡張アンカーは例えば、独国特許出願公開第10108844 A1号明細書から公知である。拡張アンカーは基礎、例えば、構造ユニットの壁や天井のボア孔内で使用される。拡張スリーブ内にボルトの拡張領域を引き込むことで、拡張スリーブは径方向に拡張され、基礎にしっかりと固定される。
【発明の概要】
【発明が解決しようとする課題】
【０００３】
欧州特許出願公開第0515916 A2号明細書及び独国特許出願公開第2256812 A1号明細書は拡張アンカーを開示するものの、これら拡張アンカーにおいて、ボルト上での拡張スリーブの反回転手段は溝ガイドによって妨げられている。
【０００４】
本発明の目的は、特に良好な負荷値を達成する一方、低い製造コスト及び高い信頼性を達成する拡張アンカーを提供することにある。
【課題を解決するための手段】
【０００５】
本発明によれば、上記目的は請求項１の特徴を備えた拡張アンカーによって達成される。好適な実施形態は従属請求項に記載されている。
【０００６】
本発明の拡張アンカーは前記溝が狭幅部を有し、該狭幅部がボルトに対する拡張スリーブの軸線方向の動きを阻止することに特徴付けられる。
【０００７】
本発明によれば、溝は狭幅部を有し、該狭幅部は溝に対する突起の軸線方向の動き、つまり、ボルトに対する拡張スリーブの軸線方向の動き、好ましくは、拡張領域内へのボルトに対する拡張スリーブの軸方向の動きを阻止する。
【０００８】
従って、本発明によれば、溝の断面積がボルトに沿って変化すれば、ボルトに対する拡張スリーブの位置に依存して変化する強度レベルでもって、溝に係合した突起が溝に擦り付けられ、この結果、ボルトに対する拡張スリーブの位置に依存して、ボルト上の拡張スリーブを変位させるうえで要求される力が変化する。本発明によれば、特に簡単且つコスト的に有効にして付加的なパラメータが提供され、該付加的なパラメータでもって拡張アンカーの固定プロセスが制御可能となる。このことは、通常の拡張アンカーにて、或る状況下に存在する矛盾を制御可能にする。例えば、通常の拡張アンカーに関しては、拡張アンカーが設置されるとき、一方では、例えば、拡張スリーブを通じて早期にボルトが完全に引き抜かれる可能性を抑制するため、拡張スリーブには比較的硬めの構成を有することが望まれている。しかしながら、拡張スリーブには同時に比較的に柔軟な構成も望まれており、これにより、特に、拡張スリーブは例えば基盤に良好に適合でき、負荷の良好な移転値を提示する。本発明によれば、貫通する引き抜き挙動もまた溝の狭幅部によって制御可能であり、拡張スリーブは負荷の移転値に関して柔軟なものに選択でき、貫通する引き抜き挙動を重大に考慮する必要はない。本発明によれば、このようにして特に信頼性のある拡張アンカーを得ることができる。
【０００９】
狭幅部は、少なくともボルト及び／又は拡張スリーブの周方向、即ち、その周方向でみて、好ましくは溝を突起の幅よりも狭くする実務的な目的のために存在する。好ましくは、狭幅部を除き、溝は断面積でみて突起よりも大きく、溝内の突起は実質的に摩擦無しで動くことができる。特に、ボルト及び／又は拡張スリーブの周方向でみて、狭幅部を除き、溝は突起よりも広い。このことは製造に関しても利点なものとなる。特に、この場合、拡張スリーブは特に負荷無しで、つまり、特に簡単にしてボルトに巻き付け可能である。
【００１０】
ボルトは、拡張スリーブの拡張前に該拡張スリーブを受け入れるネック領域を有することができ、好ましくは、ネック領域にて、ボルトは長手方向に少なくとも部分的にして、少なくともほぼ一定の断面積を有する。拡張領域において、ボルトはその先端に向けて拡径、即ち、ネック領域からの距離が増加するに連れて拡径している。好ましくは、溝及び／又は突起はボルト及び／又は拡張スリーブの長手方向と並行に走っている。ここで記載された径方向及び長手方向に関し、これらの方向は特にボルト及び／又は拡張アンカーの長手軸線を参照し、長手軸線は特にボルト及び拡張アンカーそれぞれの対称及び／又は中心の軸線であってもよい。
【００１１】
好ましくは、拡張スリーブ及び／又はボルトは金属材料からなる。好ましくは、ボルトは拡張領域とは反対側の端領域にてナットのための外螺子を有する。特に、ボルト上には止め、例えば環状肩が作られ、該止めは拡張領域から離れる方向への拡張スリーブの変位を制限する。しかしながら、拡張スリーブは多重の部品で構成されていてもよく、ボルトの外螺子に向けて延びている。本発明によれば、拡張領域は拡張スリーブを拡開、即ち、拡張スリーブを径方向に広げるために備えられている。
【００１２】
また、溝に係合する突起は反回転手段を形成し、該反回転手段はボルトの長手軸線回りに関し、ボルトに対する拡張スリーブの回転を阻止する。本来、突起は不連続性を有することができる。しかしながら、突起は連続的であるのが好ましい。
【００１３】
ボルトに配置された溝又はボルトに配置された突起は拡張領域を除き、少なくとも部分的に走っているのが特に好適する。この構成はとりわけ、設置された拡張アンカーの引っ張り力が主にボルトの拡張領域で生じることを考慮している。拡張領域の除き、少なくとも部分的、好ましくは全体を走る溝又は突起により、該構成は力の伝達が減じるのを回避する。好ましくは、ボルト上の溝又は突起はネック領域内にて少なくとも部分的に、即ち、特に拡張領域と拡張スリーブのための止めとの間の領域内を走っている。
【００１４】
更にまた、突起がボルトに配置され、溝が拡張スリーブに配置されているのが好適する。この構成は製造に関して特に利点となる。例えば、溝は(rolled in)ロール加工される。突起は圧延又は圧縮プロセス中に形成される。
【００１５】
代替的には、突起が拡張スリーブに配置され、溝がボルトに配置される。この場合、拡張スリーブの壁厚が突起にて局所的に増加される点で特に利点となる。突起に関しては、拡張前に突起が配置されることで著しく弱くなるボルトのネック領域を無しにして、特に大きな拡張が達成される。局所的な壁厚の増加は特に、拡張スリーブの外周よりも突起で大きくなる壁厚を指す。
【００１６】
また、拡張アンカーはその長手方向に走る複数の溝と、これら溝に対応する複数の突起を有することができ、ここで、少なくとも一部の溝のそれぞれは狭幅部を有し、該狭幅部は対応する突起の軸線方向の動き、つまり、ボルトに対する拡張スリーブの軸線方向の動き、特に、拡張領域内へのボルトに対する拡張スリーブの軸線方向の動きを阻止する。付け加えて、全ての溝が狭幅部を有することができる。例えば、全ての溝は前記要素の一方に備えられ、全ての突起は前記要素の他方に備えられる。しかしながら、混合した配置も可能であり、ここでは要素の一方が溝の一部と、突起の一部とを有する。
【００１７】
所望される力の増加に従い、狭幅部が溝の一端又は中間領域に備えられていることは利点である。
【００１８】
好ましくは、突起は横材であり、該横材は拡張アンカーの長手方向に延び、拡張アンカーの長手方向に対して特に平行に走っている。これにより、拡張スリーブの変位挙動かより正確に制御可能である。
【００１９】
以降、本発明は複数の好適な実施形態にて更に詳細に説明される。これら実施形態は添付図面に概略的に示され、そして、実施形態の個々の特徴は、個々の実施形態又はその如何なる組み合わせにおいて、本発明の範囲内にて基本的に実施される。
【図面の簡単な説明】
【００２０】
【図１】コンクリート製の基盤内に設置された本発明の拡張アンカーを部分に縦断した透視図である。
【図２】図１の拡張アンカーのボルトの外側をネック領域にて示す図である。
【図３】図１の拡張スリーブの内側を示す図である。
【図４】図１の拡張アンカーのための拡張スリーブの他の実施形態の内側を示す図である。
【発明を実施するための形態】
【００２１】
図１〜図３は本発明に係る拡張アンカー１の実施形態を示す。特に、図１に示すように拡張アンカー１はボルト１０及び拡張スリーブ２０を有し、該拡張スリーブ２０はボルト１０を囲んでいる。ボルト１０は一定断面積のネック領域１１を有し、ボルト１０の前端領域はネック領域１１に接続されている。ボルト１０には拡張スリーブ２０のための拡張領域１２が設けられ、該拡張領域１２にて、ボルト１０はネック領域１１から前端に向けて拡張している。拡張領域１２から離れたネック領域１１の側にて、ボルト１０は拡張スリーブ２０のための止めを有し、該止めは環状肩として構成されている。拡張領域１２とは反対側の後端領域にて、ボルト１０はナット８のための外螺子１８を備えている。
【００２２】
特に図３に見ることができるように、拡張スリーブ２０は複数の拡張スリット２４を有し、これら拡張スリット２４は拡張スリーブ２０の前端面２１から延びている。拡張スリット２４はボルト１０の拡張領域１２を介して拡張スリーブ２０の径方向の拡張を容易にする。拡張スリーブ２０はシート金属のブランクを巻くことにで製作可能である。
【００２３】
拡張アンカー１を設置するとき、図１に示されるように拡張領域１２を備えたボルト１０は基礎５のボア孔にて、ボルト１０の長手軸線１００における前方の方向に押し入れられる。止め１７があるため、拡張スリーブ２０もまたボア孔に挿入される。この後、ボルト１０は例えば、ナット８を締め付け、ボア孔から少しだけ引き戻される。ボア孔の壁との摩擦に起因して拡張スリーブ２０は留まり、拡張スリーブ２０に対するボルト１０の変位が生じる。この変位によってボルト１０の拡張領域１２は拡張スリーブ２０を通常よりも深く貫き、これにより、拡張スリーブ２０はボルト１０の拡張領域１２により径方向に拡張され、ボア孔の壁に押し付けられる。この機構により、拡張アンカー１は基礎５に固定される。拡張アンカー１が基礎５に固定された設置状態は図１に示されている。付加的なパーツ６はナット８を介して基礎５に取り付け可能である。
【００２４】
図１及び図２に示すように、ボルト１０はそのネック領域１１に突起７１を有し、該突起７１はボルト１０から径方向外側に突出している。図１及び図３に示すように、拡張スリーブ２０は突起７１に対応した溝７２を有し、該溝７２はボルト１０の長手軸線１００の方向、好ましくは、長手軸線１００と平行に延び、そして、溝７２内には突起７１が受け入れられている。図３の溝７２は２つの領域を有し、これら領域にて溝７２は突起７１よりも大きな横断面を有し、該領域にて突起７１は本質的に摩擦無しでもって移動可能である。上述の２つの領域間に溝７２は狭幅部７３を有する。付与される力の増加によってのみ、突起７１は狭幅部７３を通過可能である。従って、狭幅部７３は突起７１の通過を阻止する。即ち、狭幅部７３は、所定の軸線方向の位置にてボルト１０に対する拡張スリーブ２０の軸線方向の動きを阻止する。従って、特に、狭幅部７３は、ボルト１０が拡張スリーブ２０を通じて不所望に引き出されるのを阻害する。
【００２５】
図２に示すように突起７１は長尺な横材(cross-piece)として構成でき、該横材はボルト１０の長手軸線１００に沿って、好ましくは長手軸線１００と平行に延びている。
【００２６】
拡張スリーブの他の実施形態は図４に示されている。図４の実施形態によれば、狭幅部７３は溝７２の端に位置付けられ、一方、図３では溝７２の中間領域に備えられている。特に、図４の狭幅部７３は、拡張領域１２から離れた外螺子１８側の溝７２の端に配置されている。
【図１】
2016536544.tif 000003
【図２】
2016536544.tif 000004
【図３】
2016536544.tif 000005
【図４】
2016536544.tif 000006
【国際調査報告】
2016536544.tif 000007
2016536544.tif 000008
2016536544.tif 000009
2016536544.tif 000010
2016536544.tif 000011
2016536544.tif 000012